【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
載置された被検体を移動するための天板を備えた寝台と、
前記被検体の撮像を行うための撮像空間に磁場を発生する磁場発生装置と、
前記被検体へ照射するためのＲＦパルスを発生する照射コイルと、
前記被検体が発生するＮＭＲ信号を検出し、検出した前記ＮＭＲ信号に基づきＭＲＩ画像を生成する画像生成装置と、
前記被検体の撮像位置あるいは撮像条件を入力、撮像位置あるいは撮像条件を表示するための入出力装置と、
電磁波の吸収率に関するデータを記憶する記憶装置と、
入力された前記撮像位置における前記ＲＦパルスの照射に伴う前記被検体の電磁波の吸収量を、前記記憶装置から読み出した電磁波の吸収率に関するデータに基づいて演算し、演算された値が電磁波の吸収に関する規定値の条件を満たすかどうかを判断し、前記電磁波の吸収量の規定値の条件を満たすと判断された撮像条件や前記撮像位置を表すデータに従って、前記撮像位置での撮像動作を制御する制御装置と、を備える、
ことを特徴とする磁気共鳴イメージング装置。
【請求項２】
請求項１に記載の磁気共鳴イメージング装置において、
前記入出力装置はディスプレイを備え、前記撮像位置として第一撮像位置と第二撮像位置が入力されると、前記入出力装置の前記ディスプレイには前記第一撮像位置と前記第二撮像位置とがそれぞれ表示され、
前記制御装置は、前記第一撮像位置と前記第二撮像位置における前記電磁波の吸収率に関するデータをそれぞれ前記記憶装置から読み出し、前記第一撮像位置と前記第二撮像位置における前記電磁波の吸収量を、前記第一撮像位置と前記第二撮像位置における電磁波の吸収率に関する前記データに基づきそれぞれ演算し、
さらに前記制御装置は、演算された前記電磁波の吸収量が前記規定値の条件を満足するかどうかを前記第一撮像位置と前記第二撮像位置に関してそれぞれ判断し、演算された前記吸収量が前記規定値の条件を満足しない場合には、前記ディスプレイに前記規定値の条件を満足しない撮像位置に関する表示を行い、
さらに前記制御装置は、前記第一撮像位置と前記第二撮像位置に関する撮像動作において、演算された前記吸収量が前記規定値の条件を満足した状態でのそれぞれの撮像条件に基づいて、撮像動作を制御する、
ことを特徴とする磁気共鳴イメージング装置。
【請求項３】
請求項１に記載の磁気共鳴イメージング装置において、
前記記憶装置は、標準的な電磁波の吸収率に関するデータを記憶する第一記憶領域と、前記被検体に固有な電磁波の吸収率に関するデータを記憶する第二記憶領域を有し、
前記制御装置は、入力された撮像位置に対する被検体に固有な電磁波の吸収率のデータが前記第二記憶領域に存在する場合には被検体に固有な電磁波の吸収率に関するデータに基づいて、また入力された撮像位置に対する被検体に固有な電磁波の吸収率に関するデータが前記第二記憶領域に存在しない場合には、前記第一記憶領域に記憶されている前記標準的な電磁波の吸収率に関するデータに基づいて、前記撮像位置における電磁波の吸収量を演算する、
ことを特徴とする磁気共鳴イメージング装置。
【請求項４】
請求項３に記載の磁気共鳴イメージング装置において、
前記標準的な電磁波の吸収率に関するデータは、部位名あるいは寝台位置を検索パラメータとするデータベースとして前記記憶装置の前記第一記憶領域に記憶され、
前記部位名あるいは前記寝台位置を検索パラメータとして前記第一記憶領域に記憶された前記データベースから標準的な電磁波の前記吸収率を表すデータを読み出し、
読み出した標準的な電磁波の吸収率の前記データを使用して、前記被検体の個人の吸収量に関するデータを演算し、演算された吸収量に関するデータに基づき前記被検体の電磁波の吸収量が演算される、
ことを特徴とする磁気共鳴イメージング装置。
【請求項５】
請求項３に記載の磁気共鳴イメージング装置において、
前記被検体に固有な電磁波の吸収率に関するデータは、前記部位名あるいは前記寝台位置を検索パラメータとして前記第二記憶領域に記憶され、
前記被検体の撮像を予定する部位あるいは寝台位置に対応した前記被検体に固有な電磁波の吸収率に関するデータが記憶されていない場合に、前記制御装置は、前記被検体の他の部位あるいは他の寝台位置に対応した前記被検体に固有な電磁波の吸収率に関するデータを読み出し、
さらに前記制御装置は、読み出した前記被検体に固有な電磁波の吸収率に関するデータに基づき、前記被検体の前記電磁波の吸収量を演算する、
ことを特徴とする磁気共鳴イメージング装置。
【請求項６】
請求項１に記載の磁気共鳴イメージング装置において、
前記入出力装置は、ガントリあるいは前記寝台に設けられた撮像位置を入力するための入力装置を有し、
また入出力装置はディスプレイを有し、前記ガントリあるいは前記寝台に設けられた前記入力装置から入力された前記撮像位置は前記ディスプレイに表示される、
ことを特徴とする磁気共鳴イメージング装置。
【請求項７】
請求項２に記載の磁気共鳴イメージング装置において、
前記ディスプレイに表示される表示画像には、入力された撮像位置を表示するスキャンリスト表示部と撮像条件を表示する撮像パラメータ表示部が設けられ、
前記スキャンリスト表示部に表示された撮像位置が選択されると、前記制御装置は、選択された撮像位置の撮像条件および演算された電磁波の吸収量を前記ディスプレイに表示する、
ことを特徴とする磁気共鳴イメージング装置。
【請求項８】
請求項２に記載の磁気共鳴イメージング装置において、
前記ディスプレイに表示される表示画像には、入力された部位名のスキャン位置を入力するためのスキャン位置入力部が設けられ、
前記スキャン位置入力部に表示された前記部位名の位置決め画像に入力されたスキャン位置に基づいて、前記制御装置は前記被検体の撮像位置を設定する、
ことを特徴とする磁気共鳴イメージング装置。
【請求項９】
請求項１に記載の磁気共鳴イメージング装置において、
前記制御装置は、演算した前記被検体への前記電磁波の吸収量が、前記電磁波の吸収量の規定値の条件を満足しない場合に、前記条件を満足しないことを表す表示を行い、前記前記被検体の撮像のための待ち時間を増加させた新たな撮像条件が入力されると、入力された新たな待ち時間の撮像条件に従って電磁波の吸収量を演算すると共に演算された前記電磁波の吸収量が前記規定値の条件を満足するかどうかを判断し、新たに演算された前記電磁波の前記吸収量が、前記電磁波の吸収量の前記規定値の条件を満足するときに、前記条件を満足する前記吸収量の演算に使用された前記待ち時間に従って、前記天板の移動を制御する、
ことを特徴とする磁気共鳴イメージング装置。
【請求項１０】
請求項９に記載の磁気共鳴イメージング装置において、
前記制御装置は、前記撮像条件における前記待ち時間の増加に伴い、前記寝台の前記天板の移動速度を下げる制御を行う、
ことを特徴とする磁気共鳴イメージング装置。
【請求項１１】
請求項２に記載の磁気共鳴イメージング装置において、
前記第一撮像位置と前記第二撮像位置の合成画像の撮像の指示に基づき、前記制御装置は、前記第一撮像位置と前記第二撮像位置の電磁波の吸収量の内条件の厳しい電磁波の吸収量に従って、あるいは前記第一撮像位置と前記第二撮像位置の電磁波の吸収率の内条件の厳しい電磁波の吸収率に従って、前記第一撮像位置と前記第二撮像位置の撮像条件を求める、
ことを特徴とする磁気共鳴イメージング装置。
【請求項１２】
請求項２に記載の磁気共鳴イメージング装置において、
前記第一撮像位置と前記第二撮像位置の合成画像の撮像の指示に基づき、前記制御装置は、前記第一撮像位置と前記第二撮像位置の電磁波の吸収量を表示すると共に前記第一撮像位置と前記第二撮像位置に共通に適用する電磁波の吸収量を表示し、あるいは前記第一撮像位置と前記第二撮像位置の電磁波の吸収率を表示すると共に前記第一撮像位置と前記第二撮像位置に共通に適用する電磁波の吸収率を表示し、
表示された前記共通に適用する電磁波の吸収量あるいは前記共通に適用する電磁波の吸収率に基づいて、前記第一撮像位置と前記第二撮像位置の撮像条件を求める、
ことを特徴とする磁気共鳴イメージング装置。
【請求項１３】
請求項２に記載の磁気共鳴イメージング装置において、
前記第一撮像位置と前記第二撮像位置の合成画像の撮像の指示に基づき、前記制御装置は、前記第一撮像位置と前記第二撮像位置の電磁波の吸収量あるいは前記第一撮像位置と前記第二撮像位置の電磁波の吸収率を、前記ディスプレイに表示し、
前記表示された前記第一撮像位置と前記第二撮像位置の電磁波の吸収量あるいは前記第一撮像位置と前記第二撮像位置の電磁波の吸収率に関して、共通に適用する電磁波の吸収量あるいは共通に適用する電磁波の吸収率が入力されると、前記制御装置は、入力された前記共通に適用する電磁波の吸収量あるいは前記共通に適用する電磁波の吸収率に基づいて、前記第一撮像位置と前記第二撮像位置の撮像条件を求める、
ことを特徴とする磁気共鳴イメージング装置。
【請求項１４】
請求項１３に記載の磁気共鳴イメージング装置において、
前記制御装置は、前記第一撮像位置と前記第二撮像位置の電磁波の吸収量あるいは前記第一撮像位置と前記第二撮像位置の電磁波の吸収率を、前記ディスプレイに、座標軸を共通にしてそれぞれグラフで表示し、
座標軸を共通とする前記グラフの表示に対して、前記共通に適用する電磁波の吸収量あるいは前記共通に適用する電磁波の吸収率が、前記共通の座標軸に従って入力されると、前記制御装置は、入力された前記共通に適用する電磁波の吸収量あるいは前記共通に適用する電磁波の吸収率に基づいて、前記第一撮像位置と前記第二撮像位置の撮像条件を求める、
ことを特徴とする磁気共鳴イメージング装置。
【請求項１５】
載置した被検体を移動するための天板を備えた寝台と、前記被検体の撮像を行うための撮像空間に磁場を発生する磁場発生装置と、前記被検体へ照射するためのＲＦパルスを発生する照射コイルと、前記被検体が発生するＮＭＲ信号を検出して前記検出したＮＭＲ信号に基づきＭＲＩ画像を生成する画像生成装置と、被検体の撮像位置あるいは撮像条件を入力、被検体の撮像位置あるいは撮像条件を表示するための入出力装置と、電磁波の吸収率に関するデータを記憶する記憶装置と、制御装置と、を備える磁気共鳴イメージング装置の制御方法であって、
入力された前記撮像位置に基づいて前記記憶装置から読み出した電磁波の吸収率に関するデータが読み出され、
前記入力された前記撮像位置における前記ＲＦパルスの照射に伴う前記被検体の電磁波の吸収量が、読み出した前記電磁波の吸収率に関するデータに基づいて演算され、
演算された値が電磁波の吸収に関する規定値の条件を満たすかどうかが判断され、
前記電磁波の吸収量の規定値の条件を満たすと判断された状態の撮像条件に従って、前記撮像位置での撮像が行われる、
ことを特徴とする磁気共鳴イメージング装置の制御方法。
【手続補正２】
【補正対象書類名】明細書
【補正対象項目名】０００５
【補正方法】変更
【補正の内容】
【０００５】
【特許文献１】米国特許第7834624号明細書